(57)【要約】【課題】電源電線から伝わった漏水、結露水等の水が接続端子に浸入することを防ぐことができることを目的とする。【解決手段】制御回路ケース１２の側面に制御回路１１と電源電線２８を接続する接続端子２９を設け、接続端子２９の挿入穴２３を下方に向くように天板９に対して傾けたという構成にしたことにより、漏水、結露水が接続端子２９と同様に下方に傾いた電源電線２８を伝って、接続端子２９内部へ流れずに外側へ流れるので、電源電線２８から伝わった漏水、結露水等の水が接続端子２９に浸入することを防ぐことができるイオン発生装置を得られる。【選択図】図８
2013202163.tif 000002
【特許請求の範囲】
【請求項１】
天井に本体を埋め込み、天井面からイオンを発生させるイオン発生装置であって、前記本体は、円筒状を有しており下方にはフランジを有し、前記本体の天面に、遠心ファンを回転させるための電動機を保持する天板と前記電動機を設け、前記天板の下方に前記電動機に接続する遠心ファンを設け、前記本体の下端に吸込み口と吹出し口を有するグリルとを備え、前記本体の前記天面に装着され、モーターを駆動制御する制御回路を収納した回路ケースとを備え、前記回路ケースの側面に前記制御回路と電源電線を接続する接続端子を設け、前記接続端子の挿入穴を下方に向くように天板に対して傾けたことを特徴とするイオン発生装置。
【請求項２】
接続端子の挿入穴の上方をひさしにて覆い、前記ひさしは接続端子から前方に向けて下方に傾いていることを特徴とする請求項１に記載のイオン発生装置。
【請求項３】
接続端子に設けたボタンの上方を回路ケースの一部で完全に覆い、天板に対して傾いている速結端子の垂直面から前記ボタンを目視することができることを特徴とする請求項１または２に記載のイオン発生装置。
【発明の詳細な説明】
【技術分野】
【０００１】
本発明は、室内空間の除菌や脱臭を行うイオン発生装置に関するものである。
【背景技術】
【０００２】
従来、この種のイオン発生装置は、マイナスイオン発生手段によって発生したイオンを、ファンによって生じさせた空気の流れにのせて流出させたものが知られている（例えば、特許文献１参照）。
【０００３】
以下、そのイオン発生装置について図８を参照しながら説明する。
【０００４】
図８に示すように、天井に本体を埋め込み、天井面からイオンを発生させるイオン発生装置であって、本体は、円筒状の本体ケース１０１内に仕切板１０２と、この仕切板１０２の下方に送風手段としてシロッコファン１０３と、仕切板１０２を貫通した開口に静電霧化手段１０４と、本体ケース１０１の下端に本体吸込み口１０５と本体吹出し口１０６を有するグリル１０７と、本体ケース１０１の上に設けられている、制御基板の入った制御ボックス１０８で構成されている。
【０００５】
上記構成により、本体ケース１０２内に螺旋状の空気流路を設けて旋回気流を作り出し、旋回気流を本体吹出し口１０７から吹出すことが出来る。
【先行技術文献】
【特許文献】
【０００６】
【特許文献１】特開２０１１−２５３７８０号公報
【特許文献２】特開２０１０−１６４２０２号公報
【発明の概要】
【発明が解決しようとする課題】
【０００７】
このような従来のイオン発生装置においては、電気接続するための電源電線から漏水、結露水等が伝って、水が接続端子に浸入してしまう恐れがある、という課題を有していた。
【０００８】
そこで本発明は、上記従来の課題を解決するものであり、電源電線から伝わった結露水等の水が接続端子に浸入することを防ぐことができるイオン発生装置を提供することを目的とする。
【課題を解決するための手段】
【０００９】
そして、この目的を達成するために、本発明は、天井に本体を埋め込み、天井面からイオンを発生させるイオン発生装置であって、前記本体は、円筒状を有しており下方にはフランジを有し、前記本体の天面に、遠心ファンを回転させるための電動機を保持する天板と前記電動機を設け、前記天板の下方に前記電動機に接続する遠心ファンを設け、前記本体の下端に吸込み口と吹出し口を有するグリルとを備え、前記本体の前記天面に装着され、前記モーターを駆動制御する制御回路を収納した回路ケースとを備え、前記回路ケースの側面に前記制御回路と電源電線を接続する接続端子を設け、前記接続端子の挿入穴を下方に向くように天板に対して傾けたこととしたものであり、これにより所期の目的を達成するものである。
【発明の効果】
【００１０】
本発明によれば、天井に本体を埋め込み、天井面からイオンを発生させるイオン発生装置であって、前記本体は、円筒状を有しており下方にはフランジを有し、前記本体の天面に、遠心ファンを回転させるための電動機を保持する天板と前記電動機を設け、前記天板の下方に前記電動機に接続する遠心ファンを設け、前記本体の下端に吸込み口と吹出し口を有するグリルとを備え、前記本体の前記天面に装着され、前記モーターを駆動制御する制御回路を収納した回路ケースとを備え、前記回路ケースの側面に前記制御回路と電源電線を接続する接続端子を設け、前記接続端子の挿入穴を下方に向くように天板に対して傾けたという構成にしたことにより、漏水、結露水が接続端子と同様に下方に傾いた電源電線を伝って、速結端子内部へ流れずに外側へ流れることとなるので、電源電線から伝わった漏水、結露水等の水が接続端子に浸入することにより発生するトラッキングを防ぐことができる、という効果を得ることができる。
【図面の簡単な説明】
【００１１】
【図１】本発明の実施の形態１のイオン発生装置を天井に取付けた状態の断面図
【図２】同イオン発生装置の保護カバーと回路ケースの勘合部分の拡大断面図
【図３】同イオン発生装置の本体と回路ケースを結合する配線を示した断面図
【図４】同イオン発生装置の平面図
【図５】同イオン発生装置の分解斜視図
【図６】同イオン発生装置を天井に取付ける際の取付け状態を示す構成図
【図７】同イオン発生装置の接続端子の挿入穴方向からの拡大図
【図８】同イオン発生装置の接続端子と回路ケースの拡大断面図
【図９】従来のイオン発生装置の分解斜視図
【発明を実施するための形態】
【００１２】
本発明の請求項１記載のイオン発生装置は、天井に本体を埋め込み、天井面からイオンを発生させるイオン発生装置であって、前記本体は、円筒状を有しており下方にはフランジを有し、前記本体の天面に、遠心ファンを回転させるための電動機を保持する天板と前記電動機を設け、前記天板の下方に前記電動機に接続する遠心ファンを設け、前記本体の下端に吸込み口と吹出し口を有するグリルとを備え、前記本体の前記天面に装着され、前記モーターを駆動制御する制御回路を収納した回路ケースとを備え、前記制御回路ケースの側面に前記制御回路と電源電線を接続する接続端子を設け、前記接続端子の挿入穴を下方に向くように天板に対して接続端子を傾けた、という構成を有する。これにより、漏水、結露水が接続端子と同様に下方に傾いた電源電線を伝って、速結端子内部へ流れずに外側へ流れることとなるので、電源電線から伝わった漏水、結露水等の水が接続端子に浸入することを防ぐことができる、という効果を奏する。
【００１３】
また、接続端子の挿入穴の上方をひさしにて覆い、前記ひさしは接続端子から前方に向けて下方に傾いている、という構成にしてもよい。これにより、漏水、結露水がひさし上から前方に流れおち、挿入口に流れ込まなく、また、電源電線がひさしにより押し下げられ、電源電線の最下部が挿入口より低くなり結露水が電源電線を伝って最下部にて下方に流れ落ちることとなるので、電源電線から伝わる、または、ひさし上の漏水、結露水等の水が接続端子に浸入することを防ぐことができる、という効果を奏する。
【００１４】
また、接続端子に設けたボタンの上方を回路ケースの一部で完全に覆い、天板に対して傾いている速結端子の垂直面から前記ボタンを目視することができる、という構成にしてもよい。これにより、ボタンの上方からくる漏水、結露水が回路ケース上から前方に流れおち、ボタンや挿入口に流れ込まなく、また、ボタンをほぼ垂直に押せることとなるので、漏水、結露水等の水がボタンから接続端子の内部に浸入することを防ぐことができ、また、ボタンの位置が容易に確認できるとともにボタンを容易に押すことができることによりメンテナンス性を向上することができる、という効果を奏する。
【００１５】
以下、本発明の実施の形態について図面を参照しながら説明する。
【００１６】
（実施の形態１）
図１に示すように、本体１は円筒状を有しており、下方にはフランジ２を有し、フランジ２の下方に、吸込み口３と吐出し口４を有するグリル５とを備え、本体１の天面６には、遠心送風手段であるターボファン７と、ターボファン７を回転させる電動機８を有し、電動機８を保持するための天板９を設け、天板９の下方には電動機８に接続するターボファン７を組み込んで構成されている。
【００１７】
また、図１に示すように、本体１の外郭にあたる天板９と電動機８の上方に、電動機８および静電霧化手段１０のイオンの発生をコントロールする制御回路１１を内部に納める長方形状の制御回路ケース１２を配置し、制御回路ケース１２は、円筒状である本体１の直径値（直径の長さ）よりも小さい大きさとし、また、長手方向が本体１の中心から片側に寄せて配置する構成としている。
【００１８】
また、天板９の上方に、制御回路ケース１２内に配置した制御回路１１と、本体１に取り付けた電動機８および静電霧化手段１０をつなげる配線１３を備え、天板９の上方に、配線１３を覆う、外側に向けて下方に傾斜する斜め形状をした保護カバー１４を備える構成とする。保護カバー１４は制御回路ケース１２の上方の一部に配置され、保護カバー１４と制御回路ケース１２は、図２に示すように、保護カバー１４の下方に凸形状である凸部１５と、制御回路ケース１２の上面に設置した凸部１５に対向する位置の凹部１６によって勘合された構成となっている。
【００１９】
また、保護カバー１４は、電動機８の上方と、制御回路ケース１２から配線１３が出てくる出口１７の上方を覆うように配置され、本体１に、図４に示すように、制御回路ケース１２および本体１の中心線１８上の１箇所を含めた、２箇所で固定される構成とする。
【００２０】
また、保護カバー１４は、本体１に設けられた、配線１３を通すための制御回路ケース１２に対抗する位置の開口部１９を、本体１の外郭側からも覆う保護カバー１４を備え、保護カバー１４の直径値が本体１の直径値よりも小さくなるように構成されている。
【００２１】
また、図１に示すように、本体１の内部で、筒状の経路２０の外周部に静電霧化手段１０を設け、静電カバー２１にて覆っており、筒状の経路２０にも空気流路２２にも属さない場所に静電霧化手段１０が配置されている。静電霧化手段１０が配置される空間への霧化のための空気の供給を、室内側の空気流路２２からではなく、本体１の上方に設けた開口部１９から取り入れる構成とする。
【００２２】
上記構成において、図６に示すように、本体１を天井に開けられた丸穴に挿入して施工する際、制御回路ケース１２の大きさが本体１の直径値よりも小さく、制御回路ケース１２の長手方向が片側に突き出していることから、天井の丸穴に斜めに挿入すれば、容易に制御回路ケース１２を挿入することができ、また、保護カバー１４が斜めの形状をしているため、保護カバー１４が天井に開いた丸穴に接触せず、天井に開けられた丸穴に対して、本体１と制御回路ケース１２とを結合する配線１３を保護しながら容易に施工することができる。
【００２３】
また、保護カバー１４の凸部１５（図２参照）と制御回路ケース１２の凹部１６の勘合により、制御回路ケース１２に対して、位置がずれることなく、保護カバー１４を制御回路ケース１２の上方から本体１に固定することとなるので、本体１の上面に配置した制御回路ケース１２の、本体１への取り付け強度を上げることができる。
【００２４】
また、保護カバー１４に備えたカバー部３０により、外郭側から本体１の開口部１９への下向き方向経路を遮断することとなるので、開口部１９より本体１の内部に配置した静電霧化手段１０に対して、下向き方向に天井裏からの異物が混入するのを防ぐことができる。
【００２５】
また、空気流路２２からではなく、本体１の開口部１９から空気を取り入れることで、風速の速いターボファン７の空気流路２２ではなく、風速が遅い空間から静電霧化手段１０の空気を取り入れる際、静電霧化手段１０の空気取入口近傍の単位時間当たりの空気通過量が少なく、空気に含まれている埃の通過量をも少なくなることとなるので、静電霧化手段１０に埃が堆積するのを抑制することができる。
【００２６】
また、図８に示すように前記制御回路ケース１２の電動機８の側面に前記制御回路１１と電源電線２８を接続する接続端子２９を設け、前記接続端子２９の挿入穴２３を下方に向くように天板９（図１参照）に対して接続端子２９を傾けたという構成をしている。
【００２７】
また、接続端子２９の挿入穴２３の上方をひさし２４にて覆い、前記ひさし２４は接続端子２９の上部から前方に向けて下方に傾いた板状の構成としている。
【００２８】
また、接続端子２９の上部に電源電線２８を外す際に接続を緩めるボタン２５を備え、前記ボタン２５の上方を制御回路ケース１２に設けたボタン開口２６で接続端子２９の挿入穴２３のある挿入側の端面より外側まで完全に覆い、また天板９に対して傾いている接続端子２９に設けたボタン２５のほぼ垂直面から前記ボタン２５を目視することができるようにボタン２５の上部には空間を設けた構成にしている。
【００２９】
上記構成において、図７、８に示すように、天井裏で発生した漏水、結露水が電源電線２８を伝わってきたとき、漏水、結露水が接続端子２９と同様に下方に傾いた電源電線２８を伝って、接続端子２９の挿入穴２３へ流れずに外側へ流れることとなるので漏水、結露水等の水が接続端子２９内部に浸入することを防ぐことができる。
【００３０】
また、天井裏で発生した漏水、結露水が制御回路ケース１２の上部に落ちてきたとき、漏水、結露水がひさし上から前方に流れおち、挿入穴２３に流れ込まなく、また、電源電線２８がひさし２４により押し下げられ、電源電線２８の最下部２７が挿入穴２３より低くなり漏水、結露水が電源電線２８を伝ってきたとき最下部２７にて下方に流れ落ちることとなるので、電源電線２８から伝わる、または、ひさし２４上の漏水、結露水等の水が接続端子に浸入することを防ぐことができる。
【００３１】
また、制御回路ケース１２に落ちた漏水、結露水がボタン開口２６から接続端子２９の挿入穴２３より外側でひさし２４へ流れ落ち、さらにひさし２４を伝ってボタン２５や挿入穴２３に流れ込まず前方に流れおち流れることとなるので漏水、結露水等の水が接続端子２９内部に浸入することを防ぐことができる。
【００３２】
また、電源電線２８のメンテナンスの際は、接続端子２９を傾けたことによりボタン２５の上面も同様に傾き、さらにボタン２５の上部に空間を設けたことによりボタンの位置が容易に確認できるとともにボタンを容易に押すことができることにより電源電線２８のメンテナンス性を向上することができる。
【産業上の利用可能性】
【００３３】
本発明にかかるイオン発生装置は、天井に取り付けて広範囲にイオンを供給することができるため、イオンによってもたらすことができる効果や効能を居住空間に供給することに有用であり、また、クローゼットやバス、トイレ、または倉庫などの非居住空間においても有用である。
【符号の説明】
【００３４】
１    本体
２    フランジ
３    吸込み口
４    吐出し口
５    グリル
６    天面
７    ターボファン
８    電動機
９    天板
１０  静電霧化手段
１１  制御回路
１２  制御回路ケース
１３  配線
１４  保護カバー
１５  凸部
１７  出口
１６  凹部
１９  開口部
２０  経路
２３  挿入穴
２４  ひさし
２５  ボタン
２６  ボタン開口
２８  電源電線
２９  接続端子
３０  カバー部
【図１】
2013202163.tif 000003
【図２】
2013202163.tif 000004
【図３】
2013202163.tif 000005
【図４】
2013202163.tif 000006
【図５】
2013202163.tif 000007
【図６】
2013202163.tif 000008
【図７】
2013202163.tif 000009
【図８】
2013202163.tif 000010
【図９】
2013202163.tif 000011